(57)【要約】
【課題】　水替え作業をなくすことができると共に、生花に係る費用の削減することができることに加えて、墓石の花立て石を、墓石と違和感なく装飾できるようにする。
【解決手段】　墓石２０の花立て石２４の挿入穴２５，２５に挿脱可能な花瓶１０を石材によって形成すると共に、該花瓶１０に挿脱可能な造花１を石材によって形成し、しかも、該造花１を、模造しようとする植物の茎、葉、花のうち、花のみで構成し、さらに、造花１の花２を墓参者に対峙すべく形成すると共に、造花１の花２に合った葉を花瓶１０の胴部１１の周面に形成する。
【選択図】　　図１
0003099629.tif 000002
【実用新案登録請求の範囲】
【請求項１】
　墓石の花立て石の装飾部材であって、石材によって形成された墓石の花立て石に挿脱可能な造花からなり、しかも、該造花には、模造しようとする植物の茎、葉、花のうち、少なくとも花が設けられ、さらに、造花の花が墓参者に対峙すべく形成されてなることを特徴とする墓石の花立て石の装飾部材。
【請求項２】
　墓石の花立て石の装飾部材であって、石材によって形成された墓石の花立て石に挿脱可能な花瓶と、石材によって形成された花瓶に挿脱可能な造花とから構成され、しかも、該造花には、模造しようとする植物の茎、葉、花のうち、花のみが設けられ、さらに、造花の花が墓参者に対峙すべく形成されると共に、造花の花に合った葉が花瓶に形成されてなることを特徴とする墓石の花立て石の装飾部材。
【考案の詳細な説明】
【技術分野】
【０００１】
　本考案は、墓石の花立て石を、石材によって形成された造花、又は、石材によって形成された造花と花瓶とで装飾するようにした墓石の花立て石の装飾部材に関する。
【背景技術】
【０００２】
　従来の墓石の花立て石の装飾部材としては、墓石の花立て石の上面に載置された有底筒形状の外筒体と、外筒体の内部に設けられた有底筒形状の花立てと、外筒体と花立てとの空隙にシリコン樹脂を流し込んで固化された、セラミック、合成樹脂、金属などの造花とから構成されているものが公知になっている。そして、生花に係る費用を削減するようにしたものが公知になっている（例えば、特許文献１参照）。
【０００３】
　また、他の従来の墓石の花立て石の装飾部材は、底部にピンを設けた花瓶が備えられ、該花瓶のピンを墓石の花立て石の挿入穴に挿入し、花瓶の水替えが容易に行われるようにしたものも公知になっている（例えば、特許文献２参照）。
【０００４】
【特許文献１】実開平６―８６３８号公報（第１―６頁、図１及び図２）
【特許文献２】実開平６−５１４２６号公報（第１―３頁、図１）
【考案の開示】
【考案が解決しようとする課題】
【０００５】
　しかしながら、従来の前記墓石の花立て石の装飾部材においては、前者の場合、花立て石とセラミック製の造花とに違和感が生じて、装飾性に欠けるという問題がある。しかも、花立てと外筒体との空隙にシリコン樹脂を流し込んで固化させる作業が必要になり、煩雑であるという問題もある。
【０００６】
　さらに、後者の場合、花瓶の材質が開示されていないため、前記と同様に、石材からなる花立て石と違和感が生じる場合もある。また、花瓶に生花が生けられた場合には、水替えの作業や生花に係る費用が発生するという問題が生じる。
【０００７】
　そこで、本考案は上記問題点に鑑み、水替え作業をなくすことができると共に、生花に係る費用の削減できることに加えて、墓石の花立て石を墓石と違和感なく装飾できる墓石の花立て石の装飾部材を提供することを目的とする。
【課題を解決するための手段】
【０００８】
　上記課題を解決するために、本考案の墓石の花立て石の装飾部材は、請求項１に示す如く、石材によって形成された墓石の花立て石に挿脱可能な造花からなり、しかも、該造花には、模造しようとする植物の茎、葉、花のうち、少なくとも花が設けられ、さらに、造花の花が墓参者に対峙すべく形成されてなるものである。
【０００９】
　したがって、生花を使用せず、石材からなる造花とすることで、花代の年間費用が大幅に低減されることに加えて、耐候性、及び、耐水性に優れており、長寿命化が図れる。さらに、生花のように短期間でごみとして収集する必要はなく、地球環境にも貢献できる。しかも、造花の花が、墓参者に対峙すべく形成されていることで、墓参者は自己の墓石が豪華に装飾されると共に、塵埃、雨水などが造花の花に溜まることなく下方へ流れ落ちることになる。また、例え石材からなる造花といえども、故人の墓前を花で飾ることができて、故人への供養にもなる。加えて、墓石が装飾されることで墓参者の目を引くことになる。
【００１０】
　ここでいう、造花の花が墓参者に対して対峙するとは、造花の花が傾斜した状態から垂直になった状態も含むものとする。また、造花は、模造しようとする植物の茎、葉、花を個別に形成して、形成した茎、葉、花を接着剤で固着し一体化してもよく、植物の茎、葉、花を一体にして形成してもよい。但し、造花の茎、葉、花は、のみやグラインダーによって加工するため、実際の植物の茎、葉、花の大きさよりも大きくなる。
【００１１】
　また、本考案の墓石の花立て石の装飾部材は、請求項２に示す如く、石材によって形成された墓石の花立て石に挿脱可能な花瓶と、石材によって形成された花瓶に挿脱可能な造花とから構成され、しかも、該造花には、模造しようとする植物の茎、葉、花のうち、花のみが設けられ、さらに、造花の花が墓参者に対峙すべく形成されると共に、造花の花に合った葉が花瓶に形成されてなるものである。
【００１２】
　そうすれば、造花の花と、花瓶に形成された葉とに加えて、花瓶自体によって、模造しようとする植物の茎が表現されることになり、模造しようとする植物の略全体が表現されることになる。この場合、石材からなる花瓶と造花とで生花の略全体が模造されて表現されることになり、墓石の花立て石がより一層豪華に装飾されることになる。
【考案の効果】
【００１３】
　以上説明したように、本考案の墓石の花立て石の装飾部材は、造花を石材で形成して墓石の花立てに挿入するようにしたので、墓石との違和感がなく、しかも、花代の費用節減、墓石の装飾、半永久的な使用が可能になる。さらに、模造しようとする植物の茎、葉、花のうち、少なくとも花の部位を墓参者に対峙すべく形成するようにしたので、墓石の装飾により一層有効であり、しかも、塵や埃がつきにくい。
【００１４】
　また、本考案の墓石の花立て石の装飾部材は、造花と花瓶とを石材で形成し、造花の花を、花に合わせて形成された葉を有する花瓶に挿入することで、造花と花瓶との調和がとれることになり、模造しようとする植物全体を表現でき、花瓶に生けられた生花により一層似せたものとなる。
【考案を実施するための最良の形態】
【００１５】
　本考案を実施するための最良の形態として、以下の実施例１及び実施例２につき、図１〜図４を参照して説明する。
【実施例１】
【００１６】
　まず、本考案の実施例１について図１〜図３を参照して説明する。本実施例１の墓石の花立て石の装飾部材は、石材によって形成された造花１と花瓶１０とから構成されている。
【００１７】
　造花１は、模造しようとする植物、例えば、蓮の花２と、円柱状の挿入部３とを備えている。そして、造花１の花２が、墓参者と対峙するように傾斜して形成されていると共に、造花１の挿入部３が後述する花瓶１０の挿入穴１２に挿入されている。
【００１８】
　造花１の花２は、直径が２０ｃｍ〜３０ｃｍ程度の大きさを有し、めしべ及びおしべを模した中央部２ａと、該中央部２ａを取り囲むように放射状に形成された複数枚の花弁２ｂ，…とを具備している。
【００１９】
　造花１の花２の挿入部３は、花瓶１０の挿入穴１２、及び、墓石２０の花立て石２４の挿入穴２５，２５の直径と略同一径で、花瓶１０の挿入穴１２、及び、後述する墓石２０の花立て石２４の挿入穴２５，２５に対して造花１の挿入部３が挿脱可能になっている。造花１の挿入部３の直径は、８ｃｍ〜１４ｃｍ程度、造花１の挿入部３の長さは、６ｃｍ〜１１ｃｍ程度になっている。
【００２０】
　花瓶１０は、上述した造花１の挿入部３の挿入穴１２を有する胴部１１と、該胴部１１の底面に突設された円柱状の挿入部１３と、花瓶１０の胴部１１に形成された複数の葉１４，…とを具備している。さらに、花瓶１０の胴部１１の高さは、１５ｃｍ〜２５ｃｍ程度、花瓶１０の胴部１１の最も大きく膨らんだ部位の大きさは、２０ｃｍ〜３０ｃｍ程度の大きさになっている。加えて、花瓶１０の挿入穴１２の直径は、９ｃｍ〜１５ｃｍ程度、花瓶１０の挿入穴１２の深さは、７ｃｍ〜１２ｃｍ程度、花瓶１０の挿入部１３の直径は、８ｃｍ〜１４ｃｍ程度、花瓶１０の挿入部１３の長さは、９ｃｍ〜１４ｃｍ程度になっている。花瓶１０の挿入部１３も、前記造花１の花２と同様に、墓石２０の花立て石２４の挿入穴２５，２５に挿脱可能になっている。また、花瓶１０の胴部１１に形成された葉１４，…は、模造しようとする植物（蓮）の葉に合わせて形成されている。
【００２１】
　そして、造花１によって表現される植物（蓮）の花２と、花瓶１０自体で表現される植物（蓮）の茎と、花瓶１０の胴部に形成された植物（蓮）の葉１４とで、模造しようとする植物（蓮）の略全体が表現されており、あたかも生花が墓石２０の花立て石２４に生けられているような趣を醸し出す。
【００２２】
　また、墓石２０は、例えば、順次積重された下台２１、中台２２、拝石２３と、下台２１の前方に設置され、且つ、供物台と一体化された花立て石２４とから構成されている。さらに、花立て石２４の上面の左右の両側には、造花１の花２の挿入部３、及び、花瓶１０の挿入部１３の挿入穴２５，２５が形成されている。墓石２０の挿入穴２５，２５の直径は、９ｃｍ〜１５ｃｍ程度、墓石２０の挿入穴２５，２５の深さは、１０ｃｍ〜１５ｃｍ程度になっている。
【００２３】
　つぎに造花１の製造方法について説明する。使用する石材としては、例えば、立方体形状に加工された赤色や桃色の石材を使用する。赤色や桃色の石材を使用した理由としては、赤色や桃色の石材は粒子が大きく、通常使用されている墓石２０とは、色が異なるため、人目を引くからである。
【００２４】
　そして、石材の前面、後面、左右の両側面にそれぞれ模造しようとする植物（蓮）の図柄を描く。この場合、大きい粒子の集結部位が花の中心部に位置するように描くと共に、造花１の花２が傾斜するように描く。
【００２５】
　そうすれば、最終の研磨処理において、最も大きい粒子の集結する部位が鮮明になる。さらに、傾斜した造花１の花２が墓参者と対峙することで墓石２０が豪華に装飾されると共に、造花１の花２の凹凸部に溜まった塵埃や雨水が下方に流れ落ちやすくなる。なお、造花１の花２の傾斜角度としては、４０度〜８０度の範囲が好ましい。
【００２６】
　つぎに、のみ及びグラインダーで、立方体形状の石材を図柄に合わせて花の外形を形作る。その後、造花１の花２の花弁２ｂ，…の形状などの細かい部分を現物の花に近くなるように整える。続いて、最後の研磨処理に移行するための下地処理をグラインダーによって施す。
【００２７】
　最後に、給水管の配設されたグラインダーによって石材の研磨処理が行われる。そして、このグラインダーにおいては、給水管からの給水と同時に研磨材が回転することによって石材の表面が研磨される。さらに、この研磨処理工程においては、合計６種類の研磨材が使用され、目の粗いものから徐々に目の細かいものに交換しながら石材の表面を研磨する。
【００２８】
　なお、花瓶１０については、例えば、墓石２０と同じ粒子の細かい黒色の石材が使用され、造花と略同一工程によって製造される。但し、花瓶１０の胴部１１の周面に描かれる葉の図柄は、傾斜させる必要はない。
【００２９】
　また、上述した造花１の花２の直径、造花１の挿入部３の直径と長さ、花瓶の１０の胴部１１の高さと最も大きく膨らんだ部位の大きさ、挿入穴の直径と長さの各寸法は、墓石２０の花立て石２４の挿入穴２５の大きさに合わせて適宜変更可能である。
【００３０】
　つぎに造花１及び花瓶１０の使用態様について説明する。墓石２０の下台２１の前方に設置された花立て石２４の左右の両挿入穴２５，２５にそれぞれ花瓶１０の挿入部１３を挿入すると共に、左右の両花瓶１０，１０の挿入穴１２，１２にそれぞれ造花１の挿入部１３を挿入する。この際、造花１の傾斜した花２が墓参者と対峙するように挿入する。そうすれば、墓参者は、造花１の花２によって装飾された墓石２０を外観視することで、墓石２０が豪華に見える。さらに、造花１の花２は、石材の大きな粒子が集結する部位であることからより一層墓参者の目を引くことになる。加えて、花瓶１０自体で表現される茎と、花瓶１０に形成された葉１４と、造花１の花２とが調和することで植物の略全体が表現されて、墓石２０の装飾性が向上することになる。
【実施例２】
【００３１】
　つぎに実施例２ついて図４を参照して説明する。同図において、図１〜図３と同一符号は同一もしくは相当するものを示し、本実施例２の墓石の花立て石の装飾部材が、本実施例１の墓石の花立て石の装飾部材と異なる点は、造花１の花２のみを、墓石２０の花立て石２４の挿入穴２５，２５に挿入するようにした点である。この場合、花瓶１０が不要になる分、墓石２０の花立て石２４を簡素で且つ安価に装飾できる。
【００３２】
　なお、前記実施例１、２の場合、造花１の花２の種類として、蓮を例にとって説明したが、牡丹やゆりであってもよい。
【００３３】
　また、前記実施例１，２の場合、造花１の花２、花瓶１０の石材としては、墓石２０に使用されている御影石や大理石に限定するものではなく、人口石、天然石いずれであってもよく、粒子の粗いもの、細かいもの、多種の色の粒子が混在したものいずれを選択してもよい。色や大きさなど要望に合った石材を適宜選択する。
【産業上の利用可能性】
【００３４】
　本考案の墓石の花立て石の装飾部材としての造花１及び花瓶１０は、装飾性が高いため、室内や屋外の置物として利用できる。
【００３５】
　また、本考案の墓石の花立て石の装飾部材としての花瓶１０は、墓石２０だけでなく一般の花瓶、又は、生け花の花器としても利用できる。
【図面の簡単な説明】
【００３６】
【図１】本考案の墓石の花立て石の装飾部材としての造花及び花瓶を、墓石の花立て石の挿入穴に挿入した状態の正面図である。
【図２】図１の造花及び花瓶の縦断面図である。
【図３】造花を花瓶から離脱させた状態の断面図である。
【図４】造花の花のみを墓石の花立て石の挿入穴に挿入した状態の正面図である。
【符号の説明】
【００３７】
　１　造花
　２　花
　２ａ　中央部
　２ｂ　花弁
　３　挿入部
　１０　花瓶
　１１　胴部
　１２　挿入穴
　１３　挿入部
　１４　葉
　２０　墓石
　２１　下台
　２２　中台
　２３　拝台
　２４　花立て石
　２５　挿入穴
【図１】
0003099629.tif 000003
【図２】
0003099629.tif 000004
【図３】
0003099629.tif 000005
【図４】
0003099629.tif 000006